(57)【要約】【課題】２色射出成形法で光透過部と光遮蔽部を有するように形成され、裏面側から光を照射してデザイン性を出す場合に、優れたデザイン性を発揮できるキーボタン、および該キーボタンを有する携帯端末を提供する。【課題手段】キーボタンの裏面側から照射される光を同表面側まで透過させるように形成された光透過部と、キーボタンの裏面側から照射される光を遮蔽して同表面側まで透過させないように形成された光遮蔽部と、光遮蔽部の裏面側に凹状に形成された保持用凹部と、保持用凹部の内面に形成され、キーボタンの裏面側から照射される光を散乱させる光散乱部とを備えるようにキーボタンを構成した。また、該キーボタンを有する携帯端末を構成した。保持用凹部が光透過部を透過する光を邪魔することがなく、また照射光が光散乱部で散乱され互いに干渉しあって光の強弱を生じさせて、優れたデザイン性を発揮する。【選択図】　図１
2004039327.tif 000002
【特許請求の範囲】
【請求項１】
光透過性樹脂と光遮蔽性樹脂との２色射出成形法により成形される携帯端末用のキーボタンであって、
前記光透過性樹脂からなる光透過性樹脂層のみで形成され、前記キーボタンの裏面側から照射される光を同表面側まで透過させるように形成された光透過部と、
前記光遮蔽性樹脂からなる光遮蔽性樹脂層を含んで形成され、前記キーボタンの裏面側から照射される光を遮蔽して同表面側まで透過させないように形成された光遮蔽部と、
前記光遮蔽部の裏面側に凹状に形成された保持用凹部と、を備えたことを特徴とするキーボタン。
【請求項２】
請求項１に記載のキーボタンにおいて、
前記保持用凹部の内面に形成され、前記キーボタンの裏面側から照射される光を散乱させる光散乱部と、を備えたことを特徴とするキーボタン。
【請求項３】
光透過性樹脂を射出成形して一次成形体を成形し、該一次成形体の表面の一部を覆うように光遮蔽性樹脂を射出成形して二次成形体を成形する２色射出成形法により成形される携帯端末用のキーボタンであって、
前記光遮蔽性樹脂の成形体で覆われない前記光透過性樹脂の成形層で形成され、前記キーボタンの裏面側から照射される光を同表面側まで透過させるように形成された光透過部と、
前記光透過性樹脂の成形体を前記光遮蔽性樹脂の成形体で覆った部分で形成され、前記キーボタンの裏面側から照射される光を遮蔽して同表面側まで透過させないように形成された光遮蔽部と、
前記光遮蔽部の前記キーボタンの裏面側に凹状に形成され、射出成形用金型が前記一次成形体を保持するための保持用凹部と、を備えたことを特徴とするキーボタン。
【請求項４】
請求項３に記載のキーボタンにおいて、
前記保持用凹部の内面に形成され、前記キーボタンの裏面側から照射される光を散乱させる光散乱部と、を備えたことを特徴とするキーボタン。
【請求項５】
請求項２または４に記載のキーボタンにおいて、
前記光散乱部は、前記保持用凹部の内面のうち、前記キーボタンの裏面側から照射される光を前記光透過部側に透過させる面に形成されたことを特徴とするキーボタン。
【請求項６】
請求項５に記載のキーボタンにおいて、
前記保持用凹部を柱状に形成し、前記光散乱部を前記保持用凹部の柱状側面を、異なる方向を向く複数の面で形成したことを特徴とするキーボタン。
【請求項７】
請求項１乃至６の何れか一項に記載のキーボタンと、
前記キーボタンの裏面側に配置して、前記キーボタンに対して光を照射する光照射部と、を備えた携帯端末。
【発明の詳細な説明】
【０００１】
【発明の属する技術分野】
本発明は携帯端末用のキーボタンおよび携帯端末に関し、特に光透過部と光遮蔽部を有する携帯端末用のキーボタンおよびそれを備えた携帯端末に関する。
【０００２】
【従来の技術】
携帯電話機に代表される携帯端末は多機能化の要求に加えて、そのデザイン性への要求も大きい。そのデザイン性への要求を満たすため、携帯端末の各構成部分において様々な工夫がなされており、操作部等に用いられるキーボタンもその対象となっている。例えば、キーボタンを光透過部と光遮蔽部で構成して、キーボタンの裏面側からＬＥＤ（ｌｉｇｈｔ−ｅｍｉｔｔｉｎｇ　ｄｉｏｄｅ）等の光を照射して光透過部のみを浮き上がらせるように発光させてデザイン性を出すことが考えられる。
【０００３】
このような光透過部と光遮蔽部とからなる部材の成形方法として２色射出成形法がある。例えば、特開平９−１７４５９９には２色射出成形法により形成された、不透明部と透明部を有するパネルが記載されている。該パネルは、パネルの周辺部を構成する部分を不透明色樹脂で射出成形し、その上を覆う上層部および中央表示部を透明色樹脂で射出成形して形成される。射出成形に用いるコア型には、表示部を形成する突起部が設けられている。
【０００４】
【発明が解決しようとする課題】
このような２色射出成形法では、１次成形キャビティから２次成形キャビティに成形体を移動させる際に、コア型に設けた突起部で成形体を保持して２次成形キャビティへと移動する。したがって、成形体にはコア型の突起部に対応する保持用凹部が形成される。
【０００５】
光透過部と光遮蔽部を有するキーボタンを２色射出成形法によりを形成する場合も、同様に保持用凹部が形成される。そして、その裏面側から光を照射してデザイン性を出そうとする場合には、保持用凹部が影となって見えてしまいデザイン性を低下させることが考えられる。
【０００６】
本発明は、このような問題点に鑑みてなされたもので、２色射出成形法で光透過部と光遮蔽部を有するように形成されたキーボタンに、その裏面側から光を照射してデザイン性を出す場合に、優れたデザイン性を発揮できるキーボタンを提供することを目的とする。また、このようなキーボタンを用いて優れたデザイン性を発揮できる携帯端末を提供することを目的とする。
【０００７】
【課題を解決するための手段】
請求項１に記載の発明は、光透過性樹脂と光遮蔽性樹脂との２色射出成形法により成形される携帯端末用のキーボタンであって、前記光透過性樹脂からなる光透過性樹脂層のみで形成され、前記キーボタンの裏面側から照射される光を同表面側まで透過させるように形成された光透過部と、前記光遮蔽性樹脂からなる光遮蔽性樹脂層を含んで形成され、前記キーボタンの裏面側から照射される光を遮蔽して同表面側まで透過させないように形成された光遮蔽部と、前記光遮蔽部の裏面側に凹状に形成された保持用凹部と、を備えたことを特徴とする。
【０００８】
請求項１に記載の発明によれば、保持用凹部を光遮蔽部の裏面側に設けたので、キーボタンの裏面側から光を照射してデザイン性を出す場合に、保持用凹部が光透過部を透過する光を邪魔することなく、優れたデザイン性を発揮する。なお、キーボタンの裏面側とは、携帯端末に装着されたときに携帯端末の内部に位置する側をいい、キーボタンの表面側とは、同携帯端末の外部に位置する側をいう（本明細書において、以下同様である）。
【０００９】
請求項２に記載の発明は、請求項１に記載のキーボタンにおいて、前記保持用凹部の内面に形成され、前記キーボタンの裏面側から照射される光を散乱させる光散乱部と、を備えたことを特徴とする。
【００１０】
請求項２に記載の発明によれば、キーボタンの裏面側から光を照射してデザイン性を出す場合に、照射されたが光散乱部で散乱されて、散乱された光が互いに干渉しあって光の強弱を生じさせ、その一部が光透過部に透過されて、優れたデザイン性を発揮する。
【００１１】
請求項３に記載の発明は、光透過性樹脂を射出成形して一次成形体を成形し、該一次成形体の表面の一部を覆うように光遮蔽性樹脂を射出成形して二次成形体を成形する２色射出成形法により成形される携帯端末用のキーボタンであって、前記光遮蔽性樹脂の成形体で覆われない前記光透過性樹脂の成形層で形成され、前記キーボタンの裏面側から照射される光を同表面側まで透過させるように形成された光透過部と、前記光透過性樹脂の成形体を前記光遮蔽性樹脂の成形体で覆った部分で形成され、前記キーボタンの裏面側から照射される光を遮蔽して同表面側まで透過させないように形成された光遮蔽部と、前記光遮蔽部の前記キーボタンの裏面側に凹状に形成され、射出成形用金型が前記一次成形体を保持するための保持用凹部と、を備えたことを特徴とする。
【００１２】
請求項３に記載の発明によれば、保持用凹部を光遮蔽部の裏面側に設けたので、キーボタンの裏面側から光を照射してデザイン性を出す場合に、保持用凹部が光透過部を透過する光を邪魔することなく、優れたデザイン性を発揮する。
【００１３】
請求項４に記載の発明は、請求項３に記載のキーボタンにおいて、前記保持用凹部の内面に形成され、前記キーボタンの裏面側から照射される光を散乱させる光散乱部と、を備えたことを特徴とする。
【００１４】
請求項４に記載の発明によれば、キーボタンの裏面側から光を照射してデザイン性を出す場合に、照射されたが光散乱部で散乱されて、散乱された光が互いに干渉しあって光の強弱を生じさせ、その一部が光透過部に透過されて、優れたデザイン性を発揮する。
【００１５】
請求項５に記載の発明は、請求項２または４に記載のキーボタンにおいて、前記光散乱部は、前記保持用凹部の内面のうち、前記キーボタンの裏面側から照射される光を前記光透過部側に透過させる面に形成されたことを特徴とする。
【００１６】
請求項５に記載の発明によれば、保持用凹部に照射された光を光散乱部で散乱させ、干渉により光の強弱を生じさせ後に光透過部側に透過させるので、保持用凹部により生じる影などによるデザイン性が低下するのを防止する。
【００１７】
請求項６に記載の発明は、請求項５に記載のキーボタンにおいて、前記保持用凹部を柱状に形成し、前記光散乱部を前記保持用凹部の柱状側面を、異なる方向を向く複数の面で形成したことを特徴とする。
【００１８】
請求項６に記載の発明によれば、保持用凹部に照射された光が異なる方向を向く複数の面で屈折され、屈折された光が互いに干渉して光の強弱を生じさせ後に光透過部側に透過するので、保持用凹部により生じる影などによるデザイン性が低下するのを防止する。
【００１９】
請求項７に記載の発明は、請求項１乃至６の何れか一項に記載のキーボタンと、前記キーボタンの裏面側に配置して、前記キーボタンに対して光を照射する光照射部と、を備えた携帯端末である。
【００２０】
請求項７に記載の発明によれば、光照射部がキーボタンに光を照射することで、優れたデザイン性が達成できる。
【００２１】
【発明の実施の形態】
本発明の実施の形態について図面を参照して以下に説明する。
【００２２】
（第１実施形態）
図１に本発明の第１実施形態にかかるキーボタンを示す。図１の（Ａ）は同キーボタンの平面図、（Ｂ）は（Ａ）におけるＸ−Ｘ断面側面図である。
【００２３】
図１に示すように、携帯電話の操作用キーボタンであるキーボタン１０は、光透過部１１、光遮蔽部１２、および保持用凹部１３を備えており、下記で説明するように光透過性樹脂と光遮蔽性樹脂とを用いた２色射出成形法により一体成形されている。
【００２４】
光透過部１１は、光透過性樹脂層で形成されており、キーボタン１０の裏面側に配置されたＬＥＤ（ｌｉｇｈｔ　ｅｍｉｔｔｉｎｇ　ｄｉｏｄｅ）により照射された光を表面側に透過させる。
【００２５】
光遮蔽部１２は、光透過性樹脂層に光遮蔽性樹脂層を重ねて形成されており、キーボタン１０の裏面側に配置されたＬＥＤにより照射された光を表面側に透過させず遮蔽する。
【００２６】
保持用凹部１３は、光遮蔽部１２の裏面側に略円柱凹状に形成され、下記で説明する２色射出成形時に成形金型がキーボタン１０の中間製品である成形体を保持するのに用いられる。また、保持用凹部１３は、光透過部１１側に光散乱部１４を備えている。光散乱部１４は略円柱凹状に形成された保持用凹部１３の光透過部側の側面を、断面複数の山型になるように配置された複数の面で形成されている。キーボタン１０の裏面側に配置されたＬＥＤにより照射された光は該複数の面で屈折され、屈折された光が互いに干渉し、光の強弱を作り出す。
【００２７】
次に、キーボタン１０を２色射出成形により一体成形する方法について図２および図３を参照して説明する。
【００２８】
図２の（Ａ）は２色射出成形に用いる金型の基本構造を示す断面図、（Ｂ）は（Ａ）におけるコア型の突起部を示す部分斜視図である。図２（Ａ）に示すように、射出成形金型２０は、固定型２１および回転型２２で構成され、固定型２１は１次側キャビティ型２３と２次側キャビティ型２４を備えており、回転型２２はコア型２５をそれぞれ１次側キャビティ２３および２次側キャビティ２４に対応する位置に備えている。回転型２２は回転装置（図示せず）で１８０度回転するようになっている。図２（Ｂ）に示すように、コア型２５の突起部２６は略円柱状に形成されており、その一方側側面が複数の山型で切取られるように形成されている。
【００２９】
この金型を用いた２色射出成形法によりキーボタン１０を成形する手順について図３を参照して説明する。
【００３０】
図３（Ａ）は一次成形工程を示す。一次射出成形工程では、一次側キャビティ２３とコア２５とで形成された空洞部に、溶融した光透過性樹脂を射出充填し、その後冷却して一次成形体を得る。
【００３１】
図３（Ｂ）および（Ｃ）は二次成形準備工程を示す。二次成形準備工程では、一次成形体を保持した状態でコア２５を一次側キャビティ２３から取出し（図３（Ｂ）参照）、回転型２２を１８０℃回転して、コア２５ともに一次成形体を二次側キャビティ２４に装着する（図３（Ｃ）参照）。このとき、コア２５は一次成形体（キーボタン１０の中間製品）の保持用凹部１３で一次成形体を保持する。
【００３２】
図３（Ｄ）は二次成形工程を示す。二次成形工程では、二次側キャビティ２４と一次成形体とで形成された空洞部に、溶融した光遮蔽性樹脂を射出充填し、その後冷却して２次成形体を得る。その後、必要に応じて不要部の取除き、研磨などの後仕上げをおこなってキーボタン１０が得られる。
【００３３】
次に、キーボタン１０を装着した携帯電話について図４を参照して説明する。図４の（Ａ）は選択操作ボタンとしてキーボタン１０を用いた携帯電話の平面図、（Ｂ）は同携帯電話のキーボタン１０の周辺を示す部分断面図である。
【００３４】
図４（Ａ）に示すように、携帯電話４１の選択操作ボタン装着孔４２にキーボタン１０が装着される。また、図４（Ｂ）に示すように、携帯電話４１の内部には、キーボタン１０の裏面側にＬＥＤ４３が装着されており、ＬＥＤ４３はキーボタン１０の操作時等に発光してキーボタン１０に光を照射するようになっている。携帯電話４１のその他の部分については公知の携帯電話と同様であるので説明は省略する。
【００３５】
携帯電話４１のキーボタン１０を操作したとき、ＬＥＤ４３は発光しキーボタン１０を裏面側から照光する。このとき、キーボタン１０の光透過部１１は光を透過するが、遮蔽部１２は光を透過しないので、ユーザの目には、光透過部１１のみから光が発せられているように見える。また、保持用凹部１３に設けられた光散乱部１４に照射された光は、光散乱部１４を形成する各面で屈折され、屈折された光が互いに干渉して光の強弱を形成し、光透過部１１側に出てくるので、ユーザの目に特別な刺激（美感）を与え、優れたデザイン性が発揮される。
【００３６】
（第２実施形態）
図５（Ａ）は第２実施形態にかかるキーボタンの平面図、図５（Ｂ）は図５（Ａ）のＹ−Ｙ断面側面図である。図５に示すように、第２実施形態にかかるキーボタン５０は光散乱部を備えておらず、保持用凹部５３の光透過部５１側の面を平面で形成している。その他の部分は第１実施形態にかかるキーボタンと同じ構成、機能を有するので説明を省略する。
【００３７】
キーボタン５０の成形方法は、図８（Ａ）に示す突起部を有するコア型を用いて成形する以外は、第１実施形態に係るキーボタンの成形方法と同様であるので説明を省略する。
【００３８】
キーボタン５０は第１実施形態にかかるキーボタンと同様に、携帯電話の選択操作ボタンなどとして用いられ、その裏面側に配置されたＬＥＤで照光され、光透過部５１から光を透過させてデザイン性を生じさせる。このとき、保持用凹部５３は光遮蔽部５２の裏面側に位置するので、光透過部５１で透過される光の邪魔をすることがないため、デザイン性を低下させない。
【００３９】
（第３実施形態）
図６（Ａ）は第３実施形態にかかるキーボタンの平面図、図６（Ｂ）は図６（Ａ）のＺ−Ｚ断面側面図である。図６に示すように、第３実施形態にかかるキーボタン６０の光散乱部６４はキーボタンの裏面側にいくにつれて断面積を大にするような三角錐の二側面を形成する複数の面で形成されている。光散乱部６４以外の部分は第１実施形態にかかるキーボタンと同じ構成、機能を有するので説明を省略する。
【００４０】
キーボタン６０の成形方法は、図８（Ｂ）に示す突起部を有するコア型を用いて成形する以外は、第１実施形態に係るキーボタンの成形方法と同様であるので説明を省略する。
【００４１】
キーボタン６０は第１実施形態にかかるキーボタンと同様に、携帯電話の選択操作ボタンなどとして用いられ、その裏面側に配置されたＬＥＤで照光され、光透過部６１から光を透過させてデザイン性を生じさせる。また、保持用凹部６３に設けられた光散乱部６４に照射された光は、光散乱部６４を形成する各面で屈折され、屈折された光が互いに干渉して光の強弱を形成し、光透過部６１側に出てくるので、ユーザの目に特別な刺激（美感）を与え、優れたデザイン性が発揮される。
【００４２】
（第４実施形態）
図７（Ａ）は第４実施形態にかかるキーボタンの平面図、図７（Ｂ）は図７（Ａ）のＷ−Ｗ断面側面図である。図７に示すように、第４実施形態にかかるキーボタン７０の光散乱部７４は断面が半円状の複数の面で形成されている。光散乱部７４以外の部分は第１実施形態にかかるキーボタンと同じ構成、機能を有するので説明を省略する。
【００４３】
キーボタン７０の成形方法は、図８（Ｃ）に示す突起部を有するコア型を用いて成形する以外は、第１実施形態に係るキーボタンの成形方法と同様であるので説明を省略する。
【００４４】
キーボタン７０は第１実施形態にかかるキーボタンと同様に、携帯電話の選択操作ボタンなどとして用いられ、その裏面側に配置されたＬＥＤで照光され、光透過部７１から光を透過させてデザイン性を生じさせる。また、保持用凹部７３に設けられた光散乱部７４に照射された光は、光散乱部７４を形成する各面で屈折され、屈折された光が互いに干渉して光の強弱を形成し、光透過部７１側に出てくるので、ユーザの目に特別な刺激（美感）を与え、優れたデザイン性が発揮される。
【００４５】
（他の実施形態）
以上の実施形態では、キーボタンを平面視で楕円形に形成した例を示したが、これに限られるものではなく平面視で矩形であっても良い。また、同様に保持用凹部も凹部状に形成されていればどのような形状でも良い。
【００４６】
また、携帯端末として携帯電話機の例を示したが、ＰＨＳ（ｐｅｒｓｏｎａｌ　ｈａｎｄｙｐｈｏｎｅ　ｓｙｓｔｅｍ）端末やＰＤＡ（ｐｅｒｓｏｎａｌ　ｄｉｇｉｔａｌ　ａｓｓｉｓｔａｎｔ）などのキーボタンを備えた携帯端末に対しても適用できる。
【００４７】
【発明の効果】
以上の説明した通り、本発明によれば、保持用凹部を光遮蔽部の裏面側に設けたので、キーボタンの裏面側から光を照射してデザイン性を出す場合に、保持用凹部が光透過部を透過する光を邪魔することがなく、また、照射された光が光散乱部で散乱されて、散乱された光が互いに干渉しあって光の強弱を生じさせ、その一部が光透過部に透過されて、優れたデザイン性を発揮する。
【図面の簡単な説明】
【図１】（Ａ）第１実施形態にかかるキーボタンの平面図、（Ｂ）（Ａ）のＸ−Ｘ断面側面図である。
【図２】２色射出成形法に用いる金型の基本構造を示す断面図である。
【図３】２色射出成形法を用いてキーボタンを成形する手順を説明する図である。
【図４】（Ａ）キーボタンを装着した携帯電話の平面図、（Ｂ）同携帯電話のキーボタン周辺部の部分断面図である。
【図５】（Ａ）第２実施形態にかかるキーボタンの平面図、（Ｂ）（Ａ）のＹ−Ｙ断面側面図である。
【図６】（Ａ）第３実施形態にかかるキーボタンの平面図、（Ｂ）（Ａ）のＺ−Ｚ断面側面図である。
【図７】（Ａ）第４実施形態にかかるキーボタンの平面図、（Ｂ）（Ａ）のＷ−Ｗ断面側面図である。
【図８】（Ａ）第２実施形態にかかるキーボタンの製造に用いるコア型の突起部の斜視図、（Ｂ）第３実施形態にかかるキーボタンの製造に用いるコア型の突起部の斜視図、（Ｃ）第４実施形態にかかるキーボタンの製造に用いるコア型の突起部の斜視図である。
【符号の説明】
１０　キーボタン
１１　光透過部
１２　光遮蔽部
１３　保持用凹部
１４　光散乱部
２３　１次側キャビティ型
２４　２次側キャビティ型
２５　コア型
２６　突起部
【図１】
2004039327.tif 000003
【図２】
2004039327.tif 000004
【図３】
2004039327.tif 000005
【図４】
2004039327.tif 000006
【図５】
2004039327.tif 000007
【図６】
2004039327.tif 000008
【図７】
2004039327.tif 000009
【図８】
2004039327.tif 000010